Podtech/llm-jp-corpus-v4-ja_patent huggingface dataset:
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
エポキシド官能基を含む少なくとも１種の主となるジエンエラストマーと、少なくとも１種の補強充填剤と、下記一般式（Ｉ）のポリカルボン酸及び下記一般式（II）のイミダゾールを含む架橋系とをベースとするゴム組成物を含有するタイヤ。
【化１】
2016505673.tif 000001
（式中、Ｂは、任意に置換されていてもよく且つ１個以上のヘテロ原子で中断されていてもよい、少なくとも50個の炭素原子を含む炭化水素基を表す）
【化２】
2016505673.tif 000002
（式中、
‐Ｒ1は炭化水素基又は水素原子を表し、
‐Ｒ2は炭化水素基を表し、
‐Ｒ3及びＲ4は互いに独立して水素原子又は炭化水素基を表すか、或いは、
‐Ｒ3及びＲ4は、これらが結合するイミダゾール環の炭素原子と一緒になって環を形成する）
【請求項２】
前記Ｂが、50〜1800個の炭素原子を含む二価の炭化水素基を表す、請求項１記載のゴム組成物を含むタイヤ。
【請求項３】
前記Ｂが、脂肪族もしくは芳香族型の二価の基又は少なくとも脂肪族部位及び芳香族部位を有する基である、請求項１又は２記載のゴム組成物を含むタイヤ。
【請求項４】
前記Ｂが、アルキル、シクロアルキルアルキル、アリール、アラルキル、ヒドロキシル、アルコキシ、アミノ及びカルボニル基から選択される少なくとも１個の基により置換されている、請求項１〜３のいずれか１項記載のゴム組成物を含むタイヤ。
【請求項５】
前記Ｂが、１個以上のカルボン酸官能基により、及び／又は、アルキル、シクロアルキル、シクロアルキルアルキル、アリール又はアラルキル基から選択される１個以上の炭化水素基であって、これ自体が１個以上のカルボン酸官能基で置換されている炭化水素基により、置換されている、請求項１〜４のいずれか１項記載のゴム組成物を含むタイヤ。
【請求項６】
前記Ｂが、更なるカルボン酸官能基を含まない、請求項１〜４のいずれか１項記載のゴム組成物を含むタイヤ。
【請求項７】
ポリ酸の含有量が２〜100phr、好ましくは２〜50phrに及ぶ範囲内である、請求項１〜６のいずれか１項記載のゴム組成物を含むタイヤ。
【請求項８】
‐Ｒ1が水素原子、又は、炭素原子１〜20個のアルキル基、炭素原子５〜24個のシクロアルキル基、炭素原子６〜30個のアリール基もしくは炭素原子７〜25個のアラルキル基を表し、これらの基は、置換されていてもよく及び／又は１個以上のヘテロ原子で中断されていてもよく、
‐Ｒ2が、炭素原子１〜20個のアルキル基、炭素原子５〜24個のシクロアルキル基、炭素原子６〜30個のアリール基又は炭素原子７〜25個のアラルキル基を表し、これらの基は、置換されていてもよく、及び／又は、１個以上のヘテロ原子で中断されていてもよく、  ‐Ｒ3及びＲ4が互いに独立して、水素原子、又は、置換されていてもよく及び／又はヘテロ原子で中断されていてもよい、炭素原子１〜20個のアルキル基、炭素原子５〜24個のシクロアルキル基、炭素原子６〜30個のアリール基もしくは炭素原子７〜25個のアラルキル基から選択される同じ又は異なる基であるか、或いは、Ｒ3及びＲ4は、これらが結合するイミダゾール環の炭素原子と一緒になって、炭素原子数５〜12個、好ましくは５又は６個の芳香族環、ヘテロ芳香族環又は脂肪族環から選択される環を形成する、請求項１〜７のいずれか１項記載のゴム組成物を含むタイヤ。
【請求項９】
前記Ｒ1が、任意に置換されていてもよい、炭素原子２〜12個のアルキル基又は炭素原子７〜13個のアラルキル基から選択される基を表す、請求項１〜８のいずれか１項記載のゴム組成物を含むタイヤ。
【請求項１０】
前記イミダゾールの含有量が、前記一般式（Ｉ）のポリカルボン酸に存在する前記カルボン酸官能基に対して、0.5〜４モル当量、好ましくは0.5〜３モル当量の範囲内である、請求項１〜９のいずれか１項記載のゴム組成物を含むタイヤ。
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
物品を形成するためのヒドロシリル化硬化性シリコーン組成物であって、
（Ａ）Ｒ１ＳｉＯ３／２単位及び／又はＳｉＯ４／２単位をＲ１３ＳｉＯ１／２単位及び／又はＲ１２ＳｉＯ２／２単位と組み合わせて含むシリコーン樹脂［式中、Ｒ１は、独立して、脂肪族不飽和を含まない置換又は非置換Ｃ１〜Ｃ１０ヒドロカルビル基、アルケニル基、又は水素原子であり、但し、前記シリコーン樹脂（Ａ）は、１分子当たり少なくとも２つのケイ素結合アルケニル基又は少なくとも２つのケイ素結合水素原子を含有する］と、
（Ｂ）１分子当たり平均して少なくとも２つのケイ素結合水素原子又は少なくとも２つのケイ素結合アルケニル基を有する有機ケイ素化合物［但し、前記シリコーン樹脂（Ａ）がケイ素結合アルケニル基を含有するとき、前記有機ケイ素化合物（Ｂ）は１分子当たり少なくとも２つのケイ素結合水素原子を含有し、前記シリコーン樹脂（Ａ）がケイ素結合水素原子を含有するとき、前記有機ケイ素化合物（Ｂ）は１分子当たり少なくとも２つのケイ素結合アルケニル基を含有する］と、
（Ｃ）ヒドロシリル化触媒と、
（Ｄ）前記組成物１００重量部に基づき少なくとも１５重量部の水酸化アルミニウムをもたらす量で前記水酸化アルミニウムを含む難燃剤成分と、
（Ｅ）成分（Ｄ）とは異なるものであり、かつ前記組成物１００重量部に基づき１５重量部以下の二酸化チタンをもたらす量で前記二酸化チタンを含む、反射成分と、
（Ｇ）１分子当たり少なくとも２つのケイ素結合アルケニル基又は１分子当たり少なくとも２つのケイ素結合水素原子を有するオルガノポリシロキサンポリマー流体
を含む、シリコーン組成物。
【請求項２】
成分（Ｄ）及び（Ｅ）とは異なる充填剤（Ｆ）を更に含む、請求項１に記載の組成物。
【請求項３】
物品を形成するためのヒドロシリル化硬化性シリコーン組成物であって、
（Ａ）Ｒ１ＳｉＯ３／２単位及び／又はＳｉＯ４／２単位をＲ１３ＳｉＯ１／２単位及び／又はＲ１２ＳｉＯ２／２単位と組み合わせて含むシリコーン樹脂［式中、Ｒ１は、独立して、脂肪族不飽和を含まない置換又は非置換Ｃ１〜Ｃ１０ヒドロカルビル基、アルケニル基、又は水素原子であり、但し、前記シリコーン樹脂（Ａ）は、１分子当たり少なくとも２つのケイ素結合アルケニル基又は少なくとも２つのケイ素結合水素原子を含有する］と、
（Ｂ）１分子当たり平均して少なくとも２つのケイ素結合水素原子又は少なくとも２つのケイ素結合アルケニル基を有する有機ケイ素化合物［但し、前記シリコーン樹脂（Ａ）がケイ素結合アルケニル基を含有するとき、前記有機ケイ素化合物（Ｂ）は１分子当たり少なくとも２つのケイ素結合水素原子を含有し、前記シリコーン樹脂（Ａ）がケイ素結合水素原子を含有するとき、前記有機ケイ素化合物（Ｂ）は１分子当たり少なくとも２つのケイ素結合アルケニル基を含有する］と、
（Ｃ）ヒドロシリル化触媒と、
（Ｄ）前記組成物１００重量部に基づき少なくとも１５重量部の水酸化アルミニウムをもたらす量で前記水酸化アルミニウムを含む難燃剤成分と、
（Ｅ）成分（Ｄ）とは異なるものであり、かつ前記組成物１００重量部に基づき少なくとも２重量部で且つ１５重量部以下の二酸化チタンをもたらす量で前記二酸化チタンを含む、反射成分と、
を含み、前記シリコーン樹脂（Ａ）が、ＭＱ樹脂を含む、又は、前記有機ケイ素化合物（Ｂ）が、ＭＱ樹脂を含む、シリコーン組成物。
【請求項４】
成分（Ｄ）及び（Ｅ）とは異なる充填剤（Ｆ）を更に含む、請求項３に記載の組成物。
【請求項５】
成分（Ｆ）が酸化亜鉛、窒化ホウ素、及びアルミナから選択される、請求項２又は４に記載の組成物。
【請求項６】
成分（Ｄ）が水酸化マグネシウムを更に含む、請求項１〜５のいずれか一項に記載の組成物。
【請求項７】
請求項１〜６のいずれか一項に記載の組成物から形成された物品。
【請求項８】
光学装置用途での請求項７に記載の物品の使用。
【請求項９】
混合室、反射装置、ＬＥＤハウジング、光エンジン、反射板、光導体、光学カメラ、フォトカプラ、電荷結合素子、感光素子、又は導波路における、請求項７に記載の物品の使用。
【請求項１０】
ＵＬ９４に従って測定したときに、３ミリメートルの厚さにて難燃性分類Ｖ−０を達成する、請求項７に記載の物品。
【請求項１１】
厚さ３ミリメートルにて、かつ４３０〜７００ナノメートルの波長にて、少なくとも９０％の反射率を有する、請求項７又は１０に記載の物品。
【請求項１２】
成型品の形成方法であって、
請求項１〜６のいずれか一項に記載の組成物を成形型内に配置する工程と、
前記成形型内の前記組成物を硬化させて前記成型品を形成する工程と、を含む、形成方法。
【手続補正書】
【提出日】平成28年12月13日(2016.12.13)
【手続補正１】
【補正対象書類名】明細書
【補正対象項目名】０１６６
【補正方法】変更
【補正の内容】
【０１６６】
実施例１５
ポリα−１，３−グルカントリアセテートフィルムの光学的分析
実施例１３で調製したポリα−１，３−グルカントリアセテートフィルムを、色及び曇り度に関して分析した。スペクトルは、ＡＳＴＭ  Ｅ１１６４−０９ａに合うように、１ｎｍインターバルで１のスペクトルバンド幅（ＳＢＷ）及び８３０〜３６０ｎｍの波長範囲を利用して収集した。ポリα−１，３−グルカントリアセテートフィルムの光学的測定の結果を表１０に示す。
【表１０】
2016505692.tif 000001
【手続補正２】
【補正対象書類名】明細書
【補正対象項目名】０１６７
【補正方法】変更
【補正の内容】
【０１６７】
以上、本発明を要約すると下記のとおりである。
１．構造：
【化７】
2016505692.tif 000002
（式中、
（ｉ）ｎは少なくとも６であり、
（ｉｉ）各Ｒは、独立に、Ｈ又はアシル基であり、且つ
（ｉｉｉ）前記化合物は、約０．０５〜約３．０の置換度を有する）
により表されるポリα−１，３−グルカンエステル化合物を含む組成物。
２．前記アシル基が、アセチル基、プロピオニル基、ブチリル基、ペンタノイル基、ヘキサノイル基、ヘプタノイル基、又はオクタノイル基であり；前記化合物が、１種類の前記アシル基又は２種類以上の前記アシル基を含む、上記１に記載の組成物。
３．前記化合物が１種類の前記アシル基を含む、上記２に記載の組成物。
４．前記アシル基がアセチル基であり、前記置換度が約０．０５〜約２．６である、上記３に記載の組成物。
５．前記化合物が２種類以上の前記アシル基を含む、上記２に記載の組成物。
６．前記２種類以上の前記アシル基が
（ｉ）アセチル及びプロピオニル、又は
（ｉｉ）アセチル及びブチリル
である、上記５に記載の組成物。
７．ポリα−１，３−グルカンエステル化合物を製造する方法であって、
（ａ）ポリα−１，３−グルカンを、実質的に無水である反応物中で、少なくとも１種の酸触媒、少なくとも１種の酸無水物、及び少なくとも１種の有機酸と接触させる工程であって、前記酸無水物から誘導されたアシル基が、前記ポリα−１，３−グルカンにエステル化され、それにより構造：
【化８】
2016505692.tif 000003
（式中、
（ｉ）ｎは少なくとも６であり、
（ｉｉ）各Ｒは、独立に、Ｈ又はアシル基であり、且つ
（ｉｉｉ）前記化合物は、約０．０５〜約３．０の置換度を有する）
により表されるポリα−１，３−グルカンエステル化合物を製造する工程と、
（ｂ）工程（ａ）で製造された前記ポリα−１，３−グルカンエステル化合物を、任意選択で単離する工程と
を含む方法。
８．前記ポリα−１，３−グルカンが、接触工程（ａ）の前に、有機酸により酸交換されて、前記ポリα−１，３−グルカンから水が除去される、上記７に記載の方法。
９．前記酸触媒が無機酸である、上記７に記載の方法。
１０．前記無機酸が硫酸又は過塩素酸である、上記９に記載の方法。
１１．前記酸無水物が、無水酢酸、プロピオン酸無水物、又は酪酸無水物の１つ以上であり；且つ
前記有機酸が、酢酸、プロピオン酸、又は酪酸の１つ以上である、上記７に記載の方法。
１２．上記１１に記載の方法であって、
（ｉ）前記酸無水物が無水酢酸であり、前記有機酸が酢酸であり、前記反応物中に製造される前記ポリα−１，３−グルカンエステル化合物がポリα−１，３−グルカンアセテートである；
（ｉｉ）前記酸無水物がプロピオン酸無水物及び無水酢酸であり、前記有機酸が、プロピオン酸及び任意選択で酢酸であり、前記反応物中に製造される前記ポリα−１，３−グルカンエステル化合物がポリα−１，３−グルカンアセテートプロピオネートである；
（ｉｉｉ）前記酸無水物がプロピオン酸無水物であり、前記有機酸がプロピオン酸及び酢酸であり、前記反応物中に製造される前記ポリα−１，３−グルカンエステル化合物がポリα−１，３−グルカンアセテートプロピオネートである；
（ｉｖ）前記酸無水物が酪酸無水物及び無水酢酸であり、前記有機酸が酪酸及び任意選択で酢酸であり、前記反応物中に製造される前記ポリα−１，３−グルカンエステル化合物がポリα−１，３−グルカンアセテートブチレートである；又は
（ｖ）前記酸無水物が酪酸無水物であり、前記有機酸が酪酸及び酢酸であり、前記反応物中に製造される前記ポリα−１，３−グルカンエステル化合物がポリα−１，３−グルカンアセテートブチレートである
方法。
１３．前記反応物が有機溶媒をさらに含む、上記７に記載の方法。
１４．工程（ａ）が、
（ｉ）前記反応物を冷却すること；
（ｉｉ）前記ポリα−１，３−グルカン、酸触媒、及び有機酸を含む混合物を冷却し、次いで前記酸無水物を前記混合物に加えること；
（ｉｉｉ）前記酸無水物及び有機酸を含む混合物を冷却し、次いで前記ポリα−１，３−グルカン及び酸触媒を前記混合物に加えること；又は
（ｉｖ）前記酸触媒及び有機酸を含む混合物を冷却し、次いで前記ポリα−１，３−グルカン及び酸無水物を前記混合物に加えること
を含む、上記７に記載の方法。
１５．工程（ａ）で製造された前記ポリα−１，３−グルカンエステル化合物を単離する工程であって、前記エステル化合物がポリα−１，３−グルカントリアセテートである工程；並びに
（ｃ）前記ポリα−１，３−グルカントリアセテートを酢酸及び水と接触させて、調合物を形成する工程；
（ｄ）約３〜１０ｋｇ／ｃｍ２の蒸気圧力を前記調合物に加えて、その温度を２６０℃まで上げる工程であって、０．０５〜２．７０の置換度を有するポリα−１，３−グルカンアセテートが製造される工程；及び
（ｅ）工程（ｄ）で製造された前記ポリα−１，３−グルカンアセテートを、任意選択で単離する工程
をさらに含む、上記７に記載の方法。
【手続補正３】
【補正対象書類名】特許請求の範囲
【補正対象項目名】全文
【補正方法】変更
【補正の内容】
【特許請求の範囲】
【請求項１】
構造：
【化１】
2016505692.tif 000004
（式中、
（ｉ）ｎは少なくとも６であり、
（ｉｉ）各Ｒは、独立に、Ｈ又はアシル基であり、且つ
（ｉｉｉ）前記化合物は、約０．０５〜約３．０の置換度を有する）
により表されるポリα−１，３−グルカンエステル化合物を含む組成物。
【請求項２】
ポリα−１，３−グルカンエステル化合物を製造する方法であって、
（ａ）ポリα−１，３−グルカンを、実質的に無水である反応物中で、少なくとも１種の酸触媒、少なくとも１種の酸無水物、及び少なくとも１種の有機酸と接触させる工程であって、前記酸無水物から誘導されたアシル基が、前記ポリα−１，３−グルカンにエステル化され、それにより構造：
【化２】
2016505692.tif 000005
（式中、
（ｉ）ｎは少なくとも６であり、
（ｉｉ）各Ｒは、独立に、Ｈ又はアシル基であり、且つ
（ｉｉｉ）前記化合物は、約０．０５〜約３．０の置換度を有する）
により表されるポリα−１，３−グルカンエステル化合物を製造する工程と、
（ｂ）工程（ａ）で製造された前記ポリα−１，３−グルカンエステル化合物を、任意選択で単離する工程と
を含む方法。
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
補強用充填剤と、高飽和ジエンエラストマーを含むエラストマーマトリックスとをベースとし、前記高飽和エラストマーが、少なくとも、前記エラストマー内にランダムに分配された以下のカテゴリーA、B、C、DおよびEの各単位：
A)
2016505697.tif 000001
B)
2016505697.tif 000002
C)
2016505697.tif 000003
(上記において、R1およびR2は、同一または異なるものであって、水素原子、メチル基、または、オルソ、メタまたはパラ位置においてメチル基によって置換されているまたは置換されていないフェニル基を示す)
D)
2016505697.tif 000004
(単位Dは、6個の炭素原子を有し、1,2−シクロヘキサンタイプの２価の炭化水素系環を形成する)
E)
2016505697.tif 000005
(単位Eは、6個の炭素原子を有し、1,4−シクロヘキサンタイプの２価の炭化水素系環を形成する)
を含み；m、n、o、pおよびqは、0〜100の範囲の数であること；並びに、前記高飽和エラストマーが、下記の特性：
2016505697.tif 000006
を有することを特徴とするゴム組成物。
【請求項２】
前記高飽和エラストマーが、下記の単位F：
F)
2016505697.tif 000007
(式中、R7は、1〜4個の炭素原子を有するアルキル基、またはアリール基を示す)
を含み；さらに、前記高飽和エラストマーが、下記の特性：
2016505697.tif 000008
を有する、請求項１記載のゴム組成物。
【請求項３】
置換基R1およびR2が、同一であって、水素原子を示す、請求項１または２記載のゴム組成物。
【請求項４】
高飽和エラストマーが、下記の基準の少なくとも１つを満たす、請求項１〜３のいずれか１項記載のゴム組成物。
2016505697.tif 000009
【請求項５】
エラストマーマトリックスが、少なくとも40phrの高飽和ジエンエラストマーと、多くとも60phrの少なくとも１種の他のジエンエラストマーとを含む、請求項１〜４のいずれか１項記載のゴム組成物。
【請求項６】
補強用充填剤が、カーボンブラックを含む、請求項１〜５のいずれか１項記載のゴム組成物。
【請求項７】
補強用充填剤が、カーボンブラック以外に、無機補強用充填剤を含む、請求項１〜６のいずれか１項記載のゴム組成物。
【請求項８】
請求項１〜７のいずれか１項において定義されたゴム組成物を含む半製品。
【請求項９】
請求項８記載の半製品を組込んでいるタイヤ。
【請求項１０】
前記半製品が、トレッドである、請求項９記載のタイヤ。
【誤訳訂正書】
【提出日】平成28年12月1日(2016.12.1)
【誤訳訂正１】
【訂正対象書類名】特許請求の範囲
【訂正対象項目名】全文
【訂正方法】変更
【訂正の内容】
【特許請求の範囲】
【請求項１】
（ａ）約９０から約９９．９ｗｔ％のホットメルト接着剤と、
（ｂ）約０．１から約１０ｗｔ％の、剛性および弾性セグメントの交互ブロックを含有するブロックコポリマーと
（ｃ）場合により、約０．０５から約１０ｗｔ％の発泡セル形成剤と
を含み、発泡性接着剤組成物の全重量が合計で１００ｗｔ％である発泡性接着剤組成物であって、前記発泡性接着剤組成物の発泡時に、発泡した接着剤が約２０から約８０Ｖ／Ｖ％の体積パーセントを有し、
ブロックコポリマーが、
（ｉ）ＡＳＴＭ  Ｄ１２３８に従って測定される５ｇ／１０分以上のメルトインデックスと、１００℃を超えるＤＳＣ融点とを有するオレフィンブロックコポリマーか、あるいは
（ｉｉ）ＳＩＳ、ＳＥＳ、ＳＥＢＳ、ＳＢＳ、ＳＩＢＳ、ＳＥＰＳおよびこれらの混合物からなる群から選択されるゴム系コポリマーである、
発泡性接着剤組成物。
【請求項２】
前記ホットメルト接着剤が、ポリマーならびに場合によりワックス、粘着付与剤、可塑剤および添加剤を含む、請求項１に記載の発泡性接着剤組成物。
【請求項３】
前記ポリマーが、約５％から約６０％の結晶化度範囲を有する、請求項２に記載の発泡性接着剤組成物。
【請求項４】
前記ポリマーが、非晶質αポリオレフィン、結晶性ポリオレフィン、エチレン酢酸ビニル、エチレンアクリル酸ブチル、プロピレン−ヘキセンコポリマー、エチレン−プロピレンコポリマーおよびこれらの混合物からなる群から選択される、請求項２または３に記載の発泡性接着剤組成物。
【請求項５】
発泡体が、気体、発泡セル形成剤または複数のミクロスフェアを用いて生成される、請求項１〜４のいずれか一項に記載の発泡性接着剤組成物。
【請求項６】
前記発泡セル形成剤が、アゾジカルボンアミド、オキシビス（ベンゼンスルホニルヒドラジド）、トルエンスルホニルヒドラジド、ジフェニルスルホン−３，３’−ジスルホヒドラジド、トリヒドラジノトリアジン、ｐ−トルエンスルホニルセミカルバジド、５−フェニルテトラゾール、無水イサト酸、炭酸水素ナトリウム、クエン酸およびこれらの混合物からなる群から選択される、請求項１〜５のいずれか一項に記載の発泡性接着剤組成物。
【請求項７】
請求項１から６のいずれか一項に記載の発泡した接着剤を含む、物品。
【請求項８】
（ａ）前記ホットメルト接着剤と、前記ブロックコポリマーとを含む発泡性接着剤組成物を調製するステップと、
（ｂ）発泡性接着剤組成物を溶融状態に加熱するステップと、
（ｃ）気体を、溶融した発泡性接着剤組成物中に機械的に混合して、マトリックス中に発泡体を生成するステップと、
（ｄ）発泡した接着剤組成物を基材に塗布するステップと
を含む、請求項１に記載の発泡性接着剤組成物を発泡させる方法。
【請求項９】
（ａ）前記ホットメルト接着剤と、前記ブロックコポリマーと、発泡セル形成剤とを含む発泡性接着剤組成物を調製するステップと、
（ｂ）発泡性接着剤組成物をＴ１に加熱するステップと、
（ｃ）発泡性接着剤組成物をＴ２に加熱するステップであって、発泡セル形成剤がＴ１を超える温度で活性化され、これにより発泡性接着剤が発泡するステップと、
（ｄ）発泡した接着剤組成物を基材に塗布するステップと
を含み、Ｔ２がＴ１よりも高く、
発泡セル形成剤が、アゾジカルボンアミド、オキシビス（ベンゼンスルホニルヒドラジド）、トルエンスルホニルヒドラジド、５−フェニルテトラゾール、炭酸水素ナトリウム、クエン酸、アクリルコポリマーおよびこれらの混合物からなる群から選択される、請求項１に記載の発泡性接着剤組成物を発泡させる方法。
【請求項１０】
（ａ）前記ホットメルト接着剤と、前記ブロックコポリマーと、複数の膨張性ミクロスフェアとを含む発泡性接着剤組成物を調製するステップと、
（ｂ）前記発泡性接着剤組成物をＴ２に加熱するステップであって、膨張性ミクロスフェアがＴ１を超える温度で活性化され、これにより発泡性接着剤が発泡するステップと、
（ｃ）膨張したミクロスフェアを有する前記接着剤を基材に塗布するステップと
を含み、Ｔ２がＴ１より高く、Ｔ１において接着剤が本質的に膨張ゼロのミクロスフェアを含む、請求項１に記載の発泡性接着剤組成物を発泡させる方法。
【誤訳訂正２】
【訂正対象書類名】明細書
【訂正対象項目名】００２２
【訂正方法】変更
【訂正の内容】
【００２２】
好ましいポリオレフィンの例として、例えば、Ｃ２と、Ｃ３、Ｃ４、Ｃ５、Ｃ６、Ｃ７、Ｃ８、Ｃ９、Ｃ１０、Ｃ１１および／またはＣ１２を有し、１９０℃においてＡＳＴＭ  Ｄ１２３８に従って測定される、約５超えから約２，５００ｇ／１０分のメルトインデックスを有し、全体の結晶化度がポリマーの約１０％から約２５％の範囲である、エチレン−αオレフィンが挙げられる。例えば、Ｃ３と、Ｃ２、Ｃ４、Ｃ５、Ｃ６、Ｃ７、Ｃ８、Ｃ９、Ｃ１０、Ｃ１１および／またはＣ１２を有し、１９０℃においてＡＳＴＭ  Ｄ１２３８に従って測定される、約５超えから約２，５００ｇ／１０分のメルトインデックスを有し、全体の結晶化度がポリマーの約１０％から約２５％の範囲であるプロピレンコポリマーは、もう１つの好ましいオレフィンである。
【手続補正書】
【提出日】平成28年12月21日(2016.12.21)
【手続補正１】
【補正対象書類名】明細書
【補正対象項目名】００５７
【補正方法】変更
【補正の内容】
【００５７】
一組のＯＨＴ試験によって、ＣＹＣＯＭ５３２０−１樹脂（Cytec Solvay Groupの一員であるCytec Industries Inc.社、ニュージャージー州、Woodland Park）及びＴＯＲＡＹＣＡ  Ｔ８００Ｓ強化繊維（東レ株式会社、日本国東京都）を用い、中間層を有することによってベール安定化複合材料を形成している複合材料１０は、中間層を有しない参考材料に比べて、２０〜３０％高い引張強度パフォーマンスを有することがわかった。
【手続補正２】
【補正対象書類名】明細書
【補正対象項目名】００５８
【補正方法】変更
【補正の内容】
【００５８】
別の組のＯＨＴ試験によって、ＣＹＣＯＭ５３２０−１樹脂及びＴＯＲＡＹＣＡ  Ｔ８００Ｓ強化繊維を用い、中間層を有することによってベール安定化複合材料を形成している複合材料１０は、−７５°Ｆの温度において、中間層を有しない参考材料に比べて、１０〜２０％高い引張強度パフォーマンスを有することがわかった。
【手続補正３】
【補正対象書類名】明細書
【補正対象項目名】００５９
【補正方法】変更
【補正の内容】
【００５９】
別の組のＯＨＴ試験によって、ＣＹＣＯＭ９７０樹脂（Cytec Industries Inc.社）及びＰＡ１４７０（Spunfab Ltd.社、オハイオ州、Cuyhoga Falls）ベール中間層を用い、ＴＯＲＡＹＣＡ  Ｔ３００‐３Ｋ‐ＰＷ強化繊維（東レ株式会社、日本国東京都）を有することによってベール安定化複合材料を形成している複合材料１０は、中間層を有しない同じ材料に比べて、５〜１５％高い引張強度パフォーマンスを有することがわかった。
【手続補正４】
【補正対象書類名】明細書
【補正対象項目名】００６０
【補正方法】変更
【補正の内容】
【００６０】
また、適切に選択すれば、中間層１４を含む開示の複合材料１０は、引張強度と衝撃損傷に対する耐性の両方を向上させることができる。例えば、ＣＹＣＯＭ９７０樹脂及びＰＡ１４７０ベール中間層を用い、ＴＯＲＡＹＣＡ  Ｔ３００‐３Ｋ‐ＰＷ強化繊維を有することによってベール安定化複合材料を形成している複合材料１０は、中間層を有しない同じ材料に比べて、５０〜５５％高い衝撃後圧縮強度パフォーマンスを有していた。
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
トランスデューサーへの硬化性組成物の使用方法であって、前記硬化性組成物が、
（Ａ）硬化性オルガノポリシロキサン組成物と、
（Ｄ）室温、１ｋＨｚにて１０以上の比誘電率を有する誘電性無機微粒子と、
（Ｅ０）室温、１ｋＨｚにて１０未満の比誘電率を有する微粒子とを含み、
更に、前記硬化性組成物が、
（Ｆ）離型性又は絶縁破壊特性の改良のための添加剤と、
（Ｇ）硬化反応に関与するオルガノポリシロキサン以外のものである、高誘電性官能基を有する化合物とをさらに含むか、あるいは（Ｆ）及び（Ｇ）を含まない、使用方法。
【請求項２】
前記誘電性無機微粒子（Ｄ）の前記比誘電率が、５０以上である、請求項１に記載の使用方法。
【請求項３】
前記誘電性無機微粒子（Ｄ）が、酸化チタン、チタン酸バリウム、チタン酸ストロンチウム、チタン酸ジルコン酸鉛、及びチタン酸バリウム、並びにチタン酸バリウムのバリウム及びチタン部分がカルシウム又はストロンチウムなどのアルカリ土類金属又は希土類金属により部分的に置き換えられてなる金属酸化物複合体からなる群から選択される１種以上の無機微粒子である、請求項１又は２に記載の使用方法。
【請求項４】
前記成分（Ｅ０）が、導電性無機粒子、誘電性無機粒子、及び補強性無機粒子からなる群から選択される少なくとも１種の無機微粒子である、請求項１〜３のいずれか一項に記載の使用方法。
【請求項５】
前記成分（Ｄ）及び（Ｅ０）の部分量又は全量が、１種以上の表面処理剤により表面処理されている、請求項１〜４のいずれか一項に記載の使用方法。
【請求項６】
前記成分（Ｄ）の平均粒子径が０．０１〜１０μｍの範囲である、請求項１〜５のいずれか一項に記載の使用方法。
【請求項７】
前記成分（Ｅ０）が、１０ｍ２／ｇ以上のＢＥＴ比表面積を有する導電性微粒子である、請求項１〜６のいずれか一項に記載の使用方法。
【請求項８】
前記成分（Ｅ０）が、補強性微粒子及び導電性微粒子の混合物である、請求項１〜６のいずれか一項に記載の使用方法。
【請求項９】
前記成分（Ｄ）の配合量が、１０〜９０重量％であり、かつ前記成分（Ｅ０）の配合量が、０．０５〜２０重量％である、請求項１〜８のいずれか一項に記載の使用方法。
【請求項１０】
全オルガノポリシロキサン組成物に対し、
１０〜９０重量％の前記誘電性無機微粒子（Ｄ）、及び
１．０５〜３０重量％の前記微粒子（Ｅ０）を含み、かつ、
前記微粒子（Ｅ０）が、１〜２０重量％の（Ｅ１）補強性微粒子及び０．０５〜１０重量％の（Ｅ２）導電性微粒子を含む、請求項１〜９のいずれか一項に記載の使用方法。
【請求項１１】
前記成分（Ｄ）及び（Ｅ０）の表面が、機械的手段を使用して成分（Ｄ）及び（Ｅ０）と１種以上の表面処理剤とを混合することにより処理されている、請求項５に記載の使用方法。
【請求項１２】
前記表面処理剤が、シラザン、オルガノポリシロキサン、シランカップリング剤、又はこれらの混合物である、請求項５に記載の使用方法。
【請求項１３】
前記硬化性組成物を調製する方法が、
２軸押出し機、２軸混練機、及び一枚羽根式押出機からなる群から選択される少なくとも１種の機械的手段を使用して１種以上の表面処理剤を混練することにより、前記成分（Ｄ）及び成分（Ｅ０）の表面を処理する工程を含む、請求項１〜１２のいずれか一項に記載の使用方法。
【請求項１４】
前記成分（Ｄ）及び成分（Ｅ０）の含有量が、前記混練手順により調製される組成物の５０質量％以上である、請求項１３に記載の使用方法。
【請求項１５】
前記硬化性オルガノポリシロキサン組成物（Ａ）が、縮合硬化反応、付加硬化反応、過酸化物硬化反応、光硬化反応又は溶媒除去による乾燥により硬化可能である、請求項１に記載の使用方法。
【請求項１６】
前記硬化性オルガノポリシロキサン組成物（Ａ）が、
（Ａ１１）分子の両末端に、ケイ素原子に結合した水素原子を有し、水素原子の重量部分が、前記硬化性組成物の０．１〜１．０重量％である、少なくとも１つの第１のタイプのオルガノハイドロジェンポリシロキサン、
（Ａ１２）単一分子内に、ケイ素原子に結合した少なくとも３個の水素原子を有し、水素原子の重量部分が、前記硬化性組成物の０．０３〜２．０重量％である、少なくとも１つの第２のタイプのオルガノハイドロジェンポリシロキサン、
（Ａ２）単一分子内にアルケニル基を少なくとも２個有し、アルケニル基の重量部分が硬化性トランスデューサー組成物の０．０５〜０．５重量％である、少なくとも１種のオルガノポリシロキサン、及び
（Ａ３）ヒドロシリル化反応触媒、を含む、請求項１に記載の使用方法。
【請求項１７】
前記硬化性オルガノポリシロキサン組成物（Ａ）が、高誘電性官能基を有する反応性オルガノポリシロキサンを含む、請求項１に記載の使用方法。
【請求項１８】
電極対と、
前記電極間に配設されたシリコーンエラストマー中間層とを含むトランスデューサーであって、前記シリコーンエラストマー中間層が、請求項１〜１７のいずれか一項に記載される通りの硬化性組成物の硬化物からなる、トランスデューサー。
【請求項１９】
２つ以上のシリコーンエラストマー中間層を有する請求項１８に記載のトランスデューサーであって、少なくとも２層のシリコーンエラストマー中間層が積層されている、トランスデューサー。
【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
固溶体医薬組成物であって、
ａ）約１重量％〜約３５重量％の量の１種以上の治療用化合物；
ｂ）少なくとも３５重量％の１種以上の室温の固体脂質であって、１種以上のトリグリセリドを含む室温の固体脂質；および
ｃ）少なくとも２５重量％の１種以上の室温の液体脂質であって、１種以上モノグリセリドおよび／または１種以上のアセチル化モノグリセリド、
を含み、
前記固溶体医薬組成物が約１５℃以下の温度において固体であり、かつ２５℃以上の融点を有するように製剤化されている、
前記固溶体医薬組成物。
【請求項２】
前記１種以上の治療用化合物が、非ステロイド性抗炎症薬（ＮＳＡＩＤ）、ＰＰＡＲα作動薬、ＰＰＡＲβ／δ作動薬、ＰＰＡＲγ作動薬、グリタザール、リアノジン受容体拮抗薬、核内受容体結合剤、アンジオテンシンＩＩ受容体拮抗薬、ＡＣＥ阻害剤、ホスホジエステラーゼ阻害剤、フィブラート、スタチン、トコトリエノール、ナイアシン、胆汁酸金属イオン封鎖剤（樹脂）、コレステロール吸収阻害剤、膵臓リパーゼ阻害剤、交感神経作用アミン、抗癌剤、メトホルミン、クルクミン、グリチルレチン酸、６−ショウガオール、抗生物質、抗蠕虫薬もしくは抗マラリア薬またはこれらの任意の組合わせを含む、請求項１に記載の固溶体医薬組成物。
【請求項３】
前記１種以上の治療用化合物が、約２重量％〜約３０重量％、約２重量％〜約２５重量％、約２重量％〜約２０重量％、または約２重量％〜約１０重量％の量で存在する、請求項１または２に記載の固溶体医薬組成物。
【請求項４】
前記１種以上のトリグリセリドが、Ｃ１２〜Ｃ２４の炭素長さの１つの飽和脂肪酸もしくは不飽和脂肪酸を有するトリグリセリド、それぞれがＣ１２〜Ｃ２４の炭素長さの２つの飽和脂肪酸もしくは不飽和脂肪酸を有するトリグリセリド、またはそれぞれがＣ１２〜Ｃ２４の炭素長さの３つの飽和脂肪酸もしくは不飽和脂肪酸を有するトリグリセリドを含む、請求項１〜３のいずれか１項に記載の固溶体医薬組成物。
【請求項５】
前記１種以上のトリグリセリドが、約４１℃〜４５℃の融点を有する飽和Ｃ１０〜Ｃ１８トリグリセリドの混合物を含む、請求項１〜４のいずれか１項に記載の固溶体医薬組成物。
【請求項６】
前記１種以上の室温の固体脂質が少なくとも約４０重量％の量で存在する、請求項１〜５のいずれか１項に記載の固溶体医薬組成物。
【請求項７】
前記１種以上の室温の固体脂質が約４０重量％〜約７０重量％の量で存在する、請求項１〜６のいずれか１項に記載の固溶体医薬組成物。
【請求項８】
前記１種以上のモノグリセリドが、モノミリストレイン酸グリセリン、モノパルミトレイン酸グリセリン、モノサピエン酸グリセリン、モノオレイン酸グリセリン、モノエライジン酸グリセリン、モノバクセン酸グリセリン、モノリノール酸グリセリン、モノリノエライジン酸グリセリン、モノリノレン酸グリセリン、モノステアリドン酸グリセリン、モノエイコセン酸グリセリン、モノミード酸グリセリン、モノアラキドン酸グリセリン、モノエイコサペンタエン酸グリセリン、モノエルカ酸グリセリン、モノドコサヘキサエン酸グリセリン、またはモノネルボン酸グリセリンを含む、請求項１〜７のいずれか１項に記載の固溶体医薬組成物。
【請求項９】
前記１種以上の室温の液体脂質が、１種以上のジグリセリド、１種以上のトリグリセリド、またはこれらの任意の組合わせをさらに含む、請求項１〜８のいずれか１項に記載の固溶体医薬組成物。
【請求項１０】
前記１種以上の室温の液体脂質が少なくとも３０重量％の量で存在する、請求項１〜９のいずれか１項に記載の固溶体医薬組成物。
【請求項１１】
前記１種以上の室温の液体脂質が４５重量％未満の量で存在する、請求項１０に記載の固溶体医薬組成物。
【請求項１２】
前記固溶体医薬組成物は、１種以上の安定化剤および／または１種以上の中和剤をさらに含む、請求項１〜１１のいずれか１項に記載の固溶体医薬組成物。
【請求項１３】
前記１種以上の安定化剤は、液体グリコールポリマー、一価アルコール、イソソルビドジメチルエーテル、またはジエチレングリコールモノエチルエーテル（２−（２−エトキシエトキシ）エタノール）を含む、請求項１２に記載の固溶体医薬組成物。
【請求項１４】
前記液体グリコールポリマーは、液体ポリエチレングリコール（ＰＥＧ）ポリマーおよび／または液体ポリプロピレングリコール（ＰＰＧ）ポリマーである、請求項１３に記載の固溶体医薬組成物。
【請求項１５】
前記液体ＰＥＧポリマーが、約１，０００ｇ／モル以下である、請求項１４に記載の固溶体医薬組成物。
【請求項１６】
前記液体ＰＥＧポリマーが、ＰＥＧ１００、ＰＥＧ２００、ＰＥＧ３００、ＰＥＧ４００、ＰＥＧ５００、ＰＥＧ６００、ＰＥＧ７００、ＰＥＧ８００、ＰＥＧ９００、ＰＥＧ１０００またはこれらの任意の組合せを含む、請求項１４または１５に記載の固溶体医薬組成物。
【請求項１７】
前記１種以上の安定化剤が、約１重量％〜約５０重量％、約４重量％〜約３０重量％、約６重量％〜約２０重量％、約８重量％〜約１５重量％、約７重量％〜約１３重量％、約８重量％〜約１２重量％、または約９重量％〜約１１重量％の量で存在する、請求項１〜１６のいずれか１項に記載の固溶体医薬組成物。
【請求項１８】
前記１種以上の中和剤が、１種以上の脂肪酸、酢酸ナトリウム、またはトリエタノールアミンを含む、請求項１２に記載の固溶体医薬組成物。
【請求項１９】
前記１種以上の中和剤が、約０．１重量％〜約２０重量％、約０．１重量％〜約１５重量％、約１重量％〜約１０重量％または約１重量％〜約５重量％の量で存在する、請求項１８に記載の固溶体医薬組成物。
【請求項２０】
心血管疾患の治療における使用のための請求項１〜１９のいずれか１項に記載の固溶体医薬組成物。
【請求項２１】
前記心血管疾患が、高脂血症、冠状動脈性心臓病、アテローム性動脈硬化症、末梢血管疾患、血管閉塞性疾患、心筋症、血管炎、炎症性心疾患、虚血性心疾患、鬱血性心不全、高血圧性心疾患、心臓弁膜症、高血圧症、心筋梗塞、糖尿病性心臓病、動脈瘤、塞栓症、剥離、偽動脈瘤、血管奇形、血管性母斑、血栓症、静脈瘤、または脳卒中と関連している、請求項２０に記載の使用。
【請求項２２】
請求項１〜１９のいずれか１項に記載された固溶体医薬組成物の製造。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
好中球を、構造：
【化１】
2016505630.tif 000001
式中：
Ａは、以下の構造：
【化２】
2016505630.tif 000002
を有するエフェクター部分および／またはその還元された形態であって、式中：
ｍは、１〜３の整数であり；
各々のＹは、
低級アルキル；
低級アルコキシ；
からなる群より、独立して選択されるか、または
２つの隣接したＹ基は、それらが結合している炭素原子と一緒に、以下の構造：
【化３】
2016505630.tif 000003
および／またはその還元された形態を形成し、式中：
Ｒ１およびＲ２は、同じであっても異なっていてもよく、互いに独立して、低級アルキルまたは低級アルコキシであり；
Ｌは、
ａ）１または２以上の置換基により任意に置換されていてもよく、１または２以上の二重または三重結合を任意に含む、直鎖状または分枝状の炭化水素鎖；または
ｂ）天然のイソプレン鎖；
を含むリンカー基であり；
ｎは、１〜４０、または２〜１５、または５〜１１の整数であり；
Ｂは、Ｓｋ＋Ｚ−を含むターゲティング基であって、式中：
Ｓｋは、親油性カチオンであり；および
Ｚは、薬理学的に受容可能なアニオンである、
を有する、ミトコンドリアにターゲティングされた抗酸化剤、およびその溶媒和物、塩、異性体またはプロドラッグと接触させることによる、好中球活性化の予防を含む、炎症性障害の処置の方法。 
【請求項２】
抗酸化剤が、ＳｋＱ１：
【化４】
2016505630.tif 000004
およびその還元された（キノール）形態、ＳｋＱ１Ｈ２である、請求項１に記載の方法。
【請求項３】
抗酸化剤が、ＳｋＱＲ１：
【化５】
2016505630.tif 000005
およびその還元された（キノール）形態、ＳｋＱＲ１Ｈ２である、請求項１に記載の方法。
【請求項４】
抗酸化剤が、ＳｋＱ３：
【化６】
2016505630.tif 000006
およびその還元された（キノール）形態、ＳｋＱ３Ｈ２である、請求項１に記載の方法。
【請求項５】
抗酸化剤が、ＳｋＱＲＢ：
【化７】
2016505630.tif 000007
およびその還元された（キノール）形態、ＳｋＱＲＢＨ２である、請求項１に記載の方法。
【請求項６】
抗酸化剤が、ＳｋＱＢ１：
【化８】
2016505630.tif 000008
およびその還元された（キノール）形態、ＳｋＱＢ１Ｈ２である、請求項１に記載の方法。
【請求項７】
抗酸化剤が、ＳｋＱＢＰ１：
【化９】
2016505630.tif 000009
およびその還元された（キノール）形態、ＳｋＱＢＰ１Ｈ２である、請求項１に記載の方法。
【請求項８】
炎症性障害が、腎盂腎炎、膵炎、糖尿病、外傷、敗血症、感染または肝炎により引き起こされる、請求項１に記載の方法。
【請求項９】
炎症性障害が、慢性もしくは急性の炎症性障害、または自己免疫疾患である、請求項１に記載の方法。
【請求項１０】
炎症性障害が、気管支喘息、慢性閉塞性肺疾患、虚血、急性大動脈解離、腎臓疾患、糖尿病、高血糖症または細菌感染により引き起こされる、請求項１に記載の方法。
【請求項１１】
構造：
【化１０】
2016505630.tif 000010
式中：
Ａは、以下の構造：
【化１１】
2016505630.tif 000011
を有するエフェクター部分および／またはその還元された形態であって、式中：
ｍは、１〜３の整数であり；
各々のＹは、
低級アルキル；
低級アルコキシ；
からなる群より、独立して選択されるか、または
２つの隣接したＹ基は、それらが結合している炭素原子と一緒に、以下の構造：
【化１２】
2016505630.tif 000012
および／またはその還元された形態を形成し、式中：
Ｒ１およびＲ２は、同じであっても異なっていてもよく、互いに独立して、低級アルキルまたは低級アルコキシであり；
Ｌは、
ａ）１または２以上の置換基により任意に置換されていてもよく、１または２以上の二重または三重結合を任意に含む、直鎖状または分枝状の炭化水素鎖；または
ｂ）天然のイソプレン鎖；
を含むリンカー基であり；
ｎは、１〜４０、または２〜１５、または５〜１１の整数であり；
Ｂは、Ｓｋ＋Ｚ−を含むターゲティング基であって、式中：
Ｓｋは、親油性カチオンであり；および
Ｚは、薬理学的に受容可能なアニオンである、
を有する、ミトコンドリアにターゲティングされた抗酸化剤、およびその溶媒和物、塩、異性体またはプロドラッグの治療有効量を哺乳動物に投与し、それにより、その哺乳動物における内皮の細胞間接触の解体を予防することを含む、グルコース代謝障害を罹患する哺乳動物において血管透過性を低下させる方法。
【請求項１２】
抗酸化剤が、ＳｋＱ１、ＳｋＱ１Ｈ２、ＳｋＱＲ１、ＳｋＱＲ１Ｈ２、ＳｋＱ３、ＳｋＱ３Ｈ２、ＳｋＱＲＢ、ＳｋＱＲＢＨ２、ＳｋＱＢ１、ＳｋＱＢ１Ｈ２、ＳｋＱＢＰ１、および／またはＳｋＱＢＰ１Ｈ２である、請求項１１に記載の方法。
【請求項１３】
好中球を、構造：
【化１３】
2016505630.tif 000013
式中：
Ａは、以下の構造：
【化１４】
2016505630.tif 000014
を有するエフェクター部分および／またはその還元された形態であって、式中：
ｍは、１〜３の整数であり；
各々のＹは、
低級アルキル；
低級アルコキシ；
からなる群より、独立して選択されるか、または
２つの隣接したＹ基は、それらが結合している炭素原子と一緒に、以下の構造：
【化１５】
2016505630.tif 000015
および／またはその還元された形態を形成し、式中：
Ｒ１およびＲ２は、同じであっても異なっていてもよく、互いに独立して、低級アルキルまたは低級アルコキシであり；
Ｌは、
ａ）１または２以上の置換基により任意に置換されていてもよく、１または２以上の二重または三重結合を任意に含む、直鎖状または分枝状の炭化水素鎖；または
ｂ）天然のイソプレン鎖；
を含むリンカー基であり；
ｎは、１〜４０、または２〜１５、または５〜１１の整数であり；
Ｂは、Ｓｋ＋Ｚ−を含むターゲティング基であって、式中：
Ｓｋは、親油性カチオンであり；および
Ｚは、薬理学的に受容可能なアニオンである、
を有する、ミトコンドリアにターゲティングされた抗酸化剤、およびその溶媒和物、塩、異性体またはプロドラッグと接触させることによる、活性化された好中球からのMMP-9放出の予防を含む、炎症性障害の処置の方法。
【請求項１４】
抗酸化剤が、ＳｋＱ１、ＳｋＱ１Ｈ２、ＳｋＱＲ１、ＳｋＱＲ１Ｈ２、ＳｋＱ３、ＳｋＱ３Ｈ２、ＳｋＱＲＢ、ＳｋＱＲＢＨ２、ＳｋＱＢ１、ＳｋＱＢ１Ｈ２、ＳｋＱＢＰ１、および／またはＳｋＱＢＰ１Ｈ２である、請求項１３に記載の方法。
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
必要とする対象において脈管障害を治療または予防するための医薬組成物であって、前記対象に、プロスタサイクリンと、間葉系幹細胞（ＭＳＣ）または前記ＭＳＣと接触しており、前記ＭＳＣの１つ以上の成分を含む培地の一部を含む組成物とが投与される、医薬組成物。
【請求項２】
前記プロスタサイクリンおよび前記組成物が、同時に投与される、請求項１に記載の医薬組成物。
【請求項３】
前記プロスタサイクリンおよび前記組成物が、別々に投与される、請求項１に記載の医薬組成物。
【請求項４】
さらに、前記投与前に、前記ＭＳＣまたは前記培地の一部を、プロスタサイクリンと接触させることを含む、請求項１に記載の医薬組成物。
【請求項５】
前記ＭＳＣの成分が、エクソソーム、微小小胞、マイクロＲＮＡ、メッセンジャーＲＮＡ、非コードＲＮＡ、ミトコンドリア、増殖因子およびそれらの組み合わせからなる群から選択される、請求項１に記載の医薬組成物。
【請求項６】
さらに、前記対象に、内皮前駆細胞（ＥＰＣ）を投与することを含む、請求項１に記載の医薬組成物。
【請求項７】
前記ＥＰＣが、前記対象から取得される、請求項６に記載の医薬組成物。
【請求項８】
前記ＥＰＣが、内皮一酸化窒素合成酵素（ｅＮＯＳ）、ヘムオキシゲナーゼ（ＨＭＯＸ１）およびプロスタサイクリン合成酵素（ＰＴＧＩＳ）からなる群から選択されるタンパク質の生物学的活性の発現を増大させる核酸により形質転換されている、請求項６に記載の医薬組成物。
【請求項９】
前記核酸が、前記タンパク質をコードする、請求項８に記載の医薬組成物。
【請求項１０】
前記プロスタサイクリンが、エポプロステノール、トレプロスチニル、ベラプロスト、イルプロスト、ＰＧＩ２受容体アゴニストおよび薬学的に許容され得るそれらの塩からなる群から選択される、請求項１に記載の医薬組成物。
【請求項１１】
前記プロスタサイクリンが、トレプロスチニルまたは薬学的に許容され得るその塩もしくはそのエステルである、請求項９に記載の医薬組成物。
【請求項１２】
前記ＭＳＣが、間葉系前駆細胞（ＭＰＣ）である、請求項１に記載の医薬組成物。
【請求項１３】
前記ＭＳＣが、骨髄から取得される、請求項１に記載の医薬組成物。
【請求項１４】
前記脈管障害が、肺動脈性高血圧症（ＰＡＨ）、末梢血管疾患（ＰＶＤ）、重症下肢虚血（ＣＬＩ）、冠状動脈疾患および糖尿病性脈管障害からなる群から選択される、請求項１に記載の医薬組成物。
【請求項１５】
治療的に有効量のプロスタサイクリンと、間葉系幹細胞（ＭＳＣ）または前記ＭＳＣと接触しており、前記ＭＳＣの１つ以上の成分を含む培地の一部を含む組成物と、薬学的に許容され得るキャリアとを含む、医薬組成物。
【請求項１６】
前記ＭＳＣまたは前記培地の一部が、プロスタサイクリンと接触している、請求項１５に記載の組成物。
【請求項１７】
さらに、内皮前駆細胞（ＥＰＣ）を含む、請求項１５に記載の組成物。
【請求項１８】
間葉系幹細胞（ＭＳＣ）または前記ＭＳＣと接触しており、前記ＭＳＣの１つ以上の成分を含む培地を含む、ｉｎ  ｖｉｖｏ送達用の組成物を調製するための方法であって、
前記ＭＳＣをプロスタサイクリンと接触させることを含む、方法。
【請求項１９】
前記プロスタサイクリンが、約２００μｇ／ｍＬ〜約３００μｇ／ｍＬの濃度で存在する、請求項１８に記載の方法。
【請求項２０】
請求項１８に記載の方法により取得可能な処理された組成物。
【手続補正２】
【補正対象書類名】明細書
【補正対象項目名】０２０７
【補正方法】変更
【補正の内容】
【０２０７】
この明細書において引用された刊行物、特許出願および特許は全て、その全体が参照により本願明細書に組み込まれる。
本発明は、以下の態様を含む。
［１］
必要とする対象において脈管障害を治療または予防するための方法であって、前記対象に、プロスタサイクリンと、間葉系幹細胞（ＭＳＣ）または前記ＭＳＣと接触しており、前記ＭＳＣの１つ以上の成分を含む培地の一部を含む組成物とを投与することを含む、方法。
［２］
前記プロスタサイクリンおよび前記組成物が、同時に投与される、［１］に記載の方法。
［３］
前記プロスタサイクリンおよび前記組成物が、別々に投与される、［１］に記載の方法。
［４］
さらに、前記投与前に、前記ＭＳＣまたは前記培地の一部を、プロスタサイクリンと接触させることを含む、［１］に記載の方法。
［５］
前記ＭＳＣの成分が、エクソソーム、微小小胞、マイクロＲＮＡ、メッセンジャーＲＮＡ、非コードＲＮＡ、ミトコンドリア、増殖因子およびそれらの組み合わせからなる群から選択される、［１］に記載の方法。
［６］
さらに、前記対象に、内皮前駆細胞（ＥＰＣ）を投与することを含む、［１］に記載の方法。
［７］
前記ＥＰＣが、前記対象から取得される、［６］に記載の方法。
［８］
前記ＥＰＣが、内皮一酸化窒素合成酵素（ｅＮＯＳ）、ヘムオキシゲナーゼ（ＨＭＯＸ１）およびプロスタサイクリン合成酵素（ＰＴＧＩＳ）からなる群から選択されるタンパク質の生物学的活性の発現を増大させる核酸により形質転換されている、［６］に記載の方法。
［９］
前記核酸が、前記タンパク質をコードする、［８］に記載の方法。
［１０］
前記プロスタサイクリンが、エポプロステノール、トレプロスチニル、ベラプロスト、イルプロスト、ＰＧＩ２受容体アゴニストおよび薬学的に許容され得るそれらの塩からなる群から選択される、［１］に記載の方法。
［１１］
前記プロスタサイクリンが、トレプロスチニルまたは薬学的に許容され得るその塩もしくはそのエステルである、［９］に記載の方法。
［１２］
前記ＭＳＣが、間葉系前駆細胞（ＭＰＣ）である、［１］に記載の方法。
［１３］
前記ＭＳＣが、骨髄から取得される、［１］に記載の方法。
［１４］
前記脈管障害が、肺動脈性高血圧症（ＰＡＨ）、末梢血管疾患（ＰＶＤ）、重症下肢虚血（ＣＬＩ）、冠状動脈疾患および糖尿病性脈管障害からなる群から選択される、［１］に記載の方法。
［１５］
治療的に有効量のプロスタサイクリンと、間葉系幹細胞（ＭＳＣ）または前記ＭＳＣと接触しており、前記ＭＳＣの１つ以上の成分を含む培地の一部を含む組成物と、薬学的に許容され得るキャリアとを含む、医薬組成物。
［１６］
前記ＭＳＣまたは前記培地の一部が、プロスタサイクリンと接触している、［１５］に記載の組成物。
［１７］
さらに、内皮前駆細胞（ＥＰＣ）を含む、［１５］に記載の組成物。
［１８］
間葉系幹細胞（ＭＳＣ）または前記ＭＳＣと接触しており、前記ＭＳＣの１つ以上の成分を含む培地を含む、ｉｎ  ｖｉｖｏ送達用の組成物を調製するための方法であって、
前記ＭＳＣをプロスタサイクリンと接触させることを含む、方法。
［１９］
前記プロスタサイクリンが、約２００μｇ／ｍＬ〜約３００μｇ／ｍＬの濃度で存在する、［１８］に記載の方法。
［２０］
［１８］に記載の方法により取得可能な処理された組成物。
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
2-アミノエタンスルホン酸及び治療活性薬を含むことを特徴とする抗高血圧又は抗精神病の治療を必要とする成人患者への経口投与のための医薬製剤であって、
前記治療活性薬が、アムロジピン、テルミサルタン、イルベサルタン、バルサルタン、ロサルタン、オルメサルタン、アジルサルタン及びこれらの医薬上許される塩、並びにオランザピン、プラミペキソール、ロピニロール、デュロキセチン、エスシタロプラム及びリスペリドンからなる群から選ばれる、前記医薬製剤。
【請求項２】
抗高血圧の治療を必要とするUGT1A1*28 対立遺伝子を有する成人患者への経口投与のための、請求項１記載の製剤。
【請求項３】
抗精神病の治療を必要とするUGT1A1*28 対立遺伝子を有する成人患者への経口投与のための、請求項１記載の製剤。
【請求項４】
前記治療活性薬が、アムロジピン、テルミサルタン、イルベサルタン、バルサルタン、ロサルタン、オルメサルタン、アジルサルタン又はこれらの医薬上許される塩からなる群から選ばれることを特徴とする、成人高血圧患者を治療するための請求項２記載の製剤。
【請求項５】
前記治療活性薬がオランザピン、プラミペキソール、ロピニロール、デュロキセチン、エスシタロプラム及びリスペリドンからなる群から選ばれることを特徴とする、成人精神病患者を治療するための請求項３記載の製剤。
【請求項６】
製剤がテルミサルタン20-200mg及び2-アミノエタンスルホン酸250-1000mgを含むことを特徴とする、請求項４記載の製剤。
【請求項７】
製剤がアムロジピン5-10mg及び2-アミノエタンスルホン酸250-1000mgを含むことを特徴とする、請求項４記載の製剤。
【請求項８】
UGT1A1*28 対立遺伝子を有する成人パーキンソン病患者への経口投与のための、請求項３記載の製剤。
【請求項９】
前記治療活性薬がプラミペキソールであることを特徴とする、請求項８記載の製剤。
【請求項１０】
前記治療活性薬がロピニロールであることを特徴とする、請求項８記載の製剤。
【請求項１１】
2-アミノエタンスルホン酸と、アムロジピン、テルミサルタン、イルベサルタン、バルサルタン、ロサルタン、オルメサルタン、アジルサルタン又はこれらの医薬上許される塩とを一種以上の医薬上許される賦形剤と混合することを特徴とする請求項４記載の経口カプセル又は錠剤製剤の製造方法。
【請求項１２】
心血管イベント、左心室肥大、卒中、心不全、心筋梗塞、糖尿病性腎症又は糖尿病性網膜症を更に治療又は予防する方法で使用するための請求項２記載の製剤。
【請求項１３】
一過性虚血発作、卒中、心筋梗塞；心筋梗塞、左心室肥大、糖尿病性腎症又は網膜症の発生からなる群から選ばれた心血管イベント後の心不全の進行；糖尿病性腎症及びあらゆる種類の心血管死滅のリスクを更に軽減する方法で使用するための請求項２記載の方法。
【請求項１４】
製剤が2-アミノエタンスルホン酸を含む、成人パーキンソン病患者の血液中のビリルビンレベルを低下するための方法における使用のための医薬製剤。
【請求項１５】
ギルバート症候群を有する個体の血液中のビリルビンレベルを低下するための方法における使用のための医薬製剤。